(57)【要約】【課題】イオナイザのサイズを小さくしても空気中の微粒子の捕捉を的確に行うことができるとともに、コストの上昇を抑えることができる空気清浄装置を提供する。【解決手段】送風機構３と、送風機構３の上流側に設けられ、空気中の粗塵１１を捕獲する粗塵フィルタ５と、粗塵フィルタ５と送風機構３との間に設けられ、もしくは、送風機構３の羽根２３の近傍に設けられ、空気中の微粒子１３を帯電させるイオナイザ７と、イオナイザ７の下流側に設けられ、帯電した微粒子１３を捕獲する帯電フィルタ９とを有する空気清浄装置１である。【選択図】図６
2016205659.tif 000002
【特許請求の範囲】
【請求項１】
送風機構と、
前記送風機構の上流側に設けられ、空気中の粗塵を捕獲する粗塵フィルタと、
前記粗塵フィルタと前記送風機構との間に設けられ、もしくは、前記送風機構の羽根の近傍に設けられ、空気中の微粒子を帯電させるイオナイザと、
前記イオナイザの下流側に設けられ、前記帯電した微粒子を捕獲する帯電フィルタと、
を有することを特徴とする空気清浄装置。
【請求項２】
請求項１に記載の空気清浄装置において、
前記イオナイザが、前記送風機構のスクロール部の巻き始め側のエリアに設けられていることを特徴とする空気清浄装置。
【請求項３】
請求項２に記載の空気清浄装置において、
前記スクロール部の巻き始め側のエリアは、前記スクロール部のき始めの位置から前記スクロール部の空気吐出部に向かう方向に略９０°回転した位置までの間のエリアであることを特徴とする空気清浄装置。
【請求項４】
請求項２または請求項３に記載の空気清浄装置において、
前記イオナイザが、前記スクロール部の壁部であって前記送風機構の空気吸い込み口側の壁部である上壁部の内面、前記スクロール部の壁部であって前記送風機構の空気吸い込み口とは反対側の壁部である底壁部の内面、前記スクロール部の壁部であって前記上壁部と前記底壁部との間の側壁部の内面の少なくともいずれかの部位に設けられていることを特徴とする空気清浄装置。
【請求項５】
請求項１〜請求項４のいずれか１項に記載の空気清浄装置において、
前記イオナイザが、前記送風機構の空気吸い込み口の中央部もしくは前記送風機構の空気吸い込み口の中央部の近傍に設けられていることを特徴とする空気清浄装置。
【請求項６】
請求項１〜請求項４のいずれか１項に記載の空気清浄装置において、
前記イオナイザが、前記送風機構の空気吸い込み口の縁部に設けられていることを特徴とする空気清浄装置。
【請求項７】
請求項６に記載の空気清浄装置において、
前記イオナイザが、前記スクロール部の巻き始め部の近傍であって、前記空気吸い込み口の縁部に設けられていることを特徴とする空気清浄装置。
【請求項８】
請求項１〜請求項７のいずれか１項に記載の空気清浄装置において、
前記イオナイザは、前記粗塵フィルタと前記送風機構との間で前記粗塵フィルタに設けられていることを特徴とする空気清浄装置。
【請求項９】
請求項１〜請求項８のいずれか１項に記載の空気清浄装置において、
前記帯電フィルタの下流側には空調用の熱交換器が設けられていることを特徴とする空気清浄装置。
【請求項１０】
請求項１〜請求項９のいずれか１項に記載の空気清浄装置において、
前記イオナイザは、放電針と対向電極のみで構成されていることを特徴とする空気清浄装置。
【請求項１１】
送風機構と、
前記送風機構の上流側に設けられ、空気中の粗塵を捕獲する粗塵フィルタと、
前記送風機構の下流側に設けられ、空気中の微粒子を捕獲する帯電フィルタと、
空気中の微粒子を帯電させるイオンを発生し、前記粗塵フィルタと前記帯電フィルタとの間であって、前記送風機構で発生する空気の乱流によって前記イオンで帯電した微粒子が前記帯電フィルタに至るまでにほぼ均一に空気中に拡散される位置に設けられたイオナイザと、
を有することを特徴とする空気清浄装置。
【発明の詳細な説明】
【技術分野】
【０００１】
本発明は、空気清浄装置に係り、特に、粗塵フィルタと、イオナイザと、帯電フィルタとを用いて空気中の塵を捕獲するものに関する。
【背景技術】
【０００２】
従来、図７で示すような空気清浄装置３０１が知られている（たとえば、特許文献１参照）。空気清浄装置３０１は、空調ケース３０３と、送風機３０５とを備えて構成されている。
【０００３】
空調ケース３０３の内部には、送風機３０５が設けられている。送風機３０５は、空調ケース３０３内に空気を吸い込んで下流側に送風するようになっている。
【０００４】
また、空調ケース３０３の内部には、送風機３０５によって発生する空気の流れ方向で、送風機３０５の下流側に、空気清浄部３０７、エバポレータ３０９、ヒータコア３１１がこの順に設けられている。
【０００５】
空気清浄部３０７は、図８で示すように、イオナイザ（荷電部）３１３と、この下流側に配された集塵脱臭部（帯電フィルタ）３１５と、イオナイザ３１３の上流側に配されて粗大な異物を除去するプレフィルタ（粗塵フィルタ）３１７とを備えて構成されている。
【０００６】
イオナイザ３１３は、荷電ユニット３１９によって構成されており、荷電ユニット３１９は、空気の流れ方向にほぼ平行に配された多数の対向極板３２１と、それぞれの対向極板３２１間に配された放電線（イオン化線）３２３とからなる放電機構を備えている。
【０００７】
そして、放電線３２３から対向極板３２１に生じるコロナ放電によってこれら放電線３２３と対抗極板３２１との間を通過する粉塵粒子を帯電するようになっている。集塵脱臭部３１５は、これを通過しようとする帯電された粉塵粒子（微粒子）を吸着捕集するようになっている。
【０００８】
これにより、空気清浄装置３０１の上流から送られてくる空気中の粗大な異物と微粒子とがプレフィルタ３１７と集塵脱臭部３１５とによって吸着捕集され、下流に吐出されるようになっている。
【先行技術文献】
【特許文献】
【０００９】
【特許文献１】特開２００２−１０３９６０号公報
【発明の概要】
【発明が解決しようとする課題】
【００１０】
ところで、従来の空気清浄装置３０１では、微粒子を均一に帯電させるために、イオナイザ３１３が、粗塵フィルタ３１７や帯電フィルタ３１５の全面を覆うように、格子状になって設置されている。
【００１１】
これにより、イオナイザ３１３のサイズが大きくなってしまい、コスト（製造コストやランニングコスト）が上昇してしまうという問題がある。
【００１２】
本発明は、上記問題点に鑑みてなされたものであり、イオナイザのサイズを小さくしても空気中の微粒子の捕捉を的確に行うことができるとともに、コストの上昇を抑えることができる空気清浄装置を提供することを目的とする。
【課題を解決するための手段】
【００１３】
本発明は、送風機構と、前記送風機構の上流側に設けられ、空気中の粗塵を捕獲する粗塵フィルタと、前記粗塵フィルタと前記送風機構との間に設けられ、もしくは、前記送風機構の羽根の近傍に設けられ、空気中の微粒子を帯電させるイオナイザと、前記イオナイザの下流側に設けられ、前記帯電した微粒子を捕獲する帯電フィルタとを有する空気清浄装置である。
【発明の効果】
【００１４】
本発明によれば、イオナイザのサイズを小さくしても空気中の微粒子の捕捉を的確に行うことができるとともに、コストの上昇を抑えることができるという効果を奏する。
【図面の簡単な説明】
【００１５】
【図１】本発明の実施形態に係る空気清浄装置の断面図である。
【図２】図１におけるＩＩ矢視図である。
【図３】イオナイザの概略構成を示す斜視図である。
【図４】１つ目の変形例に係る空気清浄装置の断面図である。
【図５】２つ目の変形例に係る空気清浄装置の断面図である。
【図６】３つ目の変形例に係る空気清浄装置の断面図である。
【図７】従来の空気清浄装置を示す図である。
【図８】従来の空気清浄装置を示す図である。
【発明を実施するための形態】
【００１６】
本発明の実施形態に係る空気清浄装置（空気調和装置）１は、たとえば、車両に搭載されて使用されるものであり、空気清浄装置１で清浄化された空気が車両のキャビン内に供給されるようになっている。
【００１７】
空気清浄装置１は、図１で示すように、送風機構（ファン）３と、粗塵フィルタ５（図５、図６も併せて参照）と、イオナイザ（荷電ユニット）７と、帯電フィルタ（微粒子吸着フィルタ）９（図６も併せて参照）とを備えて構成されている。なお、図１は、空気清浄装置１の要部を示しており、図１では、粗塵フィルタ５、帯電フィルタ９などの表示を省略している。
【００１８】
送風機構３は空気流を発生するようになっている。粗塵フィルタ５は、送風機構３で発生する空気の流れ方向で送風機構３の上流側に設けられており、送風機構５へ流れる空気中の粗塵１１（図６参照）を捕獲するようになっている。
【００１９】
イオナイザ７は、送風機構３で発生する空気の流れ方向で、粗塵フィルタ５と送風機構３との間に設けられており（図１、図４、図５参照）、イオンを発生し、このイオンで空気中に拡散している微粒子１３（図６参照）を帯電させるようになっている。
【００２０】
帯電フィルタ９は、送風機構３で発生する空気の流れ方向で、イオナイザ７の下流側に設けられており、帯電した微粒子１３を捕獲するようになっている。
【００２１】
イオナイザ７は、粗塵フィルタ５と送風機構３との間で送風機構３の上流側に設けられており、さらに、送風機構３の空気吸い込み口４７の縁部に設けられている（図１、図２参照）。
【００２２】
また、空気清浄装置１には、空調用の熱交換器（たとえば、冷房用のエアバポレータ）１５（図６参照）が設けられている。空調用の熱交換器１５は、送風機構３で発生する空気の流れ方向で帯電フィルタ９の下流側に設けられている。
【００２３】
イオナイザ７は、図３で示すように、放電針１７と、対向電極１９で構成されている。      
【００２４】
さらに説明すると、イオナイザ７では、放電針１７と対向電極１９との間に高電圧を印加して放電針１７と対向電極１９との間で発生するコロナ放電により、イオンを生成するようになっている。イオンは、１本の放電針１７の先端近傍の狭い領域（点状の領域）で発生するようになっている。
【００２５】
送風機構３は、遠心ファン（たとえば、シロッコファン）で構成されており、シロッコファン３は、図１、図２で示すように、ケーシング２１と、羽根２３とを備えて構成されている。ケーシング２１は、側壁部２５と、底壁部２７と、上壁部２９とを備えて構成されている。
【００２６】
図１、図２等で示すように、側壁部２５は、平面に描かれた所定形状の線３１を、上記平面に対して直交する方向（図２の紙面に直交する方向）に所定の距離だけ移動したときに、上記所定形状の線３１の軌跡であらわされる形状になっている。
【００２７】
所定形状の線３１は、所定長さのうずまき線３３と、２本の線分３５，３７とで構成されている。所定長さのうずまき線（たとえば、アルキメデスのうずまき線）３３は、極座標の方程式「ｒ＝ａθ＋ｂ」であらわされる。なお、極座標の方程式における「ａ」、「ｂ」は正の定数であり、「θ」、「ｒ」は変数である。また、所定長さのうずまき線３３は、極座標の方程式において、角度θが、たとえば、０°≦θ≦２７０°〜３００°になっている。
【００２８】
底壁部２７は、平板状に形成されており、厚さ方向から見ると、図２で示すように、所定形状の線（側壁部２５の所定長さのうずまき線３３および２本の線分３５，３７と同様な線）と、一方の線分３５の先端と他方の線分３７の先端とを結ぶ線分３９とで囲まれた形状になっている。
【００２９】
上壁部２９も底壁部２７とほぼ同形状になっている。ただし、上壁部２９では、中央部に円形状の貫通孔（上壁部２９の厚さ方向を貫通している貫通孔）４１が設けられている。この貫通孔４１がシロッコファン３の空気吸い込み口４７を形成している。
【００３０】
底壁部２７は、側壁部２５の一方の端部を塞ぐようにして、側壁部２５に一体的に設けられており、上壁部２９は、側壁部２５の他方の端部を塞ぐようにして、側壁部２５に一体的に設けられている。
【００３１】
これにより、ケーシング２１は、所定長さのうずまき線３３の部位で形成されている円筒状の部位（本体部）４３と、一対の線分３５，３７の部位で形成されている部位４５とを備えて構成されている。矩形な筒状の部位４５の端の開口部がシロッコファン３の空気吐出口４９を構成している。
【００３２】
ケーシング２１の内部空間５１は、空気吸い込み口４７と空気吐出口４９とによって、ケーシング２１の外部につながっている。
【００３３】
羽根２３は、肉厚円筒状に形成されており、円筒の肉部に相当する箇所には、複数枚の翼５３（図２参照）が円筒の周方向で所定の間隔をあけて設けられている。
【００３４】
羽根２３の外径は、上壁部２９の貫通孔４１の直径よりも大きく、図２に示すような間隙５５が羽根２３と側壁部２５との間に形成されている。間隙５５の幅寸法は、羽根２３の径方向における羽根２３と側壁部２５との間の距離の最小値であり、詳しくは後述するスクロール部５７の巻き始め部（舌部）５９になる。
【００３５】
羽根２３は、図示しないモータ等のアクチュエータにより回転するようになっている。
【００３６】
スクロール部５７の断面形状（うずまき線３３の延伸方向に対して直交する平面による断面形状）は矩形状になっている（図１参照）。スクロール部５７の高さ寸法（図１の上下方向の寸法；図２の紙面に直交する方向の寸法）は一定であるが、スクロール部５７の幅寸法Ｂ１（図２参照）は変化している。
【００３７】
すなわち、スクロール部５７の巻き始め部（舌部５９；角度θが「０°」の部位）では、スクロール部５７の幅寸法Ｂ１は最小値になっている。上記角度θが図２の中心軸Ｃ１を中心とした時計まわりで増えるしたがって、スクロール部５７の幅寸法Ｂ１は次第に大きくなっている。
【００３８】
そして、羽根２３が図２に矢印で示す方向に回転することによって、空気吸い込み口４７からの羽根２３の内側に空気が入り、この空気が翼５３の間の隙間を通ってスクロール部５７に至り、空気吐出口４９から、ケーシング２１の外部に吐出されるようになっている。
【００３９】
ここで、イオナイザ７の設置形態についてさらに説明する。イオナイザ７は、図１で示すように、イオナイザ支持部材６１によって、粗塵フィルタ５と送風機構３との間で送風機構３の空気吸い込み口４７の縁部に設けられている。ここで、イオナイザ支持部材６１を無くして、イオナイザ７を送風機構３（ケーシング２１）に直接設けてもよい。なお、図１に参照符号６３で示すものは、イオナイザ７に電力供給する等のためのハーネスである。
【００４０】
スクロール部５７の中心軸Ｃ１の延伸方向では、イオナイザ７は、空気吸い込み口４７の近傍に設けられている（図１では、空気吸い込み口４７の上方で空気吸い込み口４７の近傍に設けられている）。
【００４１】
また、スクロール部５７の中心軸Ｃ１の延伸方向から見ると、イオナイザ７は、空気吸い込み口４７の外周の近傍で空気吸い込み口４７の内側に位置している（図２参照）が、イオナイザ７が、空気吸い込み口４７の外周の近傍で空気吸い込み口４７の外側に位置していてもよい。
【００４２】
なお、ケーシング２１には、図６で示すように、筒状の上流側ダクト６５と、筒状の下流側ダクト６７とが、一体的に設けられている。
【００４３】
上流側ダクト６５は、送風機構３の空気吸い込み口４７に接続されており、下流側ダクト６７は、空気吸い込み口４７から離れて、送風機構３の空気吐出口４９に設けられている。図６で示すように、粗塵フィルタ５は、上流側ダクト６５内に設けられており、帯電フィルタ９は、空気吐出口４９から離れて下流側ダクト６７内に設けられている。空調用の熱交換器１５は、送風機構３で発生する空気の流れ方向において帯電フィルタ９の下流側で帯電フィルタ９に隣接して下流側ダクト６７内に設けられている。
【００４４】
ここで、空気清浄装置１の動作を説明する。
【００４５】
送風機構３の羽根２３が回転すると、上流側ダクト６５内に、外気もしくは車両のキャビン内の空気が入る。この上流側ダクト６５内に入った空気が、粗塵フィルタ５を通過し、空気 吸い込み口４７から送風機構３内に入る。送風機構３内に入った空気は、スクロール部５７と空気吐出口４９とを通って下流側ダクト６７内に入る。下流側ダクト６７内に入った空気は、帯電フィルタ９や空調用の熱交換器１５を通って、車両のキャビン内に供給される。
【００４６】
この状態でイオナイザ７が稼働すると、図６で示すように、イオナイザ７からイオンが発生し、このイオンによって、粗塵フィルタ５で粗塵１１が除去された空気中の微粒子１３が帯電されるとともに、帯電された微粒子１３（イオンが残っている場合もある）が、送風機構３の羽根２３等で撹拌され、帯電された微粒子１３の濃度分布が、空気や微粒子１３が下流側ダクト６７に到達するまでに均一化される。
【００４７】
濃度分布が均一化された微粒子１３を含む空気が帯電フィルタ９を通過することで、微粒子１３が、帯電フィルタ９の全面にわたって偏りなくほぼ均一に捕獲される。
【００４８】
空気清浄装置１によれば、イオナイザ７が、粗塵フィルタ５と送風機構３との間に設けられているので、イオナイザ７で発生したイオンが、送風機構３を通過するときに送風機構３の羽根２３によって撹拌され、空気中の帯電した微粒子１３の濃度分布が、空気と微粒子１３とが帯電フィルタ９に至るまでに均一になる。
【００４９】
これにより、イオナイザ７のサイズを従来のようにフィルタの全面を覆う態様で大型化しなくても空気中の微粒子１３の捕捉を帯電フィルタ９で的確に行うことができるとともに、イオナイザ７をコンパクトにしてコストの上昇を抑えることができる。
【００５０】
さらに、イオナイザ７をコンパクト化することができることで、空気清浄装置１全体も小型にすることができる。
【００５１】
また、空気清浄装置１によれば、イオナイザ７が送風機構３の空気吸い込み口４７の縁部に設けられているので、イオナイザ７を設置するための部材を小さくするか無くすことができる。
【００５２】
また、空気清浄装置１によれば、空調用の熱交換器１５が帯電フィルタ９の下流側に設けられているので、空気中の微粒子１３の空調用の熱交換器１５への付着を確実に防止することができる。
【００５３】
また、空気清浄装置１によれば、イオナイザ７が放電針１７と対向電極１９のみで構成されているので、イオナイザ７の構成を簡素化してイオナイザ７を小型化することができる。
【００５４】
なお、イオナイザ７を、送風機構３の空気吸い込み口４７の縁部に設けることに代えてもしくは加えて、図４で示すように、また、図２に参照符号ＰＳ１で示すように、送風機構３の空気吸い込み口４７の中央部もしくは送風機構３の空気吸い込み口４７の中央部の近傍に設けてもよい。なお、図４に参照符号６１で示すものはイオナイザ支持部材であり、参照符号６３で示すものはハーネスである。
【００５５】
また、上記説明（図１、図４参照）では、イオナイザ７を、イオナイザ支持部材６１を用いて、ケーシング２１（上壁部２９）に固定しているが、図５で示すように、イオナイザ７を、イオナイザ支持部材６１を用いて、粗塵フィルタ５と送風機構３との間で、粗塵フィルタ５に固定してもよい。この場合、イオナイザ支持部材６１を用いることなく、イオナイザ７を粗塵フィルタ５に直接設けてもよい。なお、図５では、送風機構３の空気吸い込み口４７の中央部もしくは送風機構３の空気吸い込み口４７の中央部の近傍にイオナイザ７を設けているが、図５で示す場合（粗塵フィルタ５でイオナイザ７を支持する場合）において、図１等で示すように、送風機構３の空気吸い込み口４７の縁部にイオナイザ７を設けてもよい。
【００５６】
イオナイザ７が送風機構３の空気吸い込み口４７の中央部もしくは送風機構３の空気吸い込み口４７の中央部の近傍に設けられていることで、送風機構３の羽根２３の回転によってイオナイザ７で発生したイオンを確実に拡散させることができる。
【００５７】
また、イオナイザ７が粗塵フィルタ５と送風機構３との間で粗塵フィルタ５に設けられていることで、イオナイザ７を設置するための部材を無くすか小さくすることができる。
【００５８】
なお、イオナイザ７を、図２に参照符号ＰＳ２や参照符号ＰＳ３で示すような、スクロール部５７の巻き始め部の近傍であって、空気吸い込み口４７の縁部（スクロール部５７の外部に位置している縁部；上壁部２９の上面）に設けてあってもよい。この場合も、イオナイザ７が、粗塵フィルタ５と送風機構３との間で送風機構３の上流側に設けられていることになる。
【００５９】
また、イオナイザ７が送風機構３のスクロール部５７の巻き始め側のエリアで、空気吸い込み口４７の縁部に設けられていてもよい。送風機構３のスクロール部５７の巻き始め側のエリア（スクロール部５７の巻き始め部よりも広い範囲）の詳細については後述する。
【００６０】
ところで、上記説明では、イオナイザ７が粗塵フィルタ５と送風機構３との間で送風機構３の上流側に設けられているが、これに代えてもしくは加えて、イオナイザ７を、送風機構３内（スクロール部５７内）で送風機構３の羽根２３の近傍に設けてもよい（図２に示す参照符号ＰＳ４、図６に示す参照符号ＰＳ４、ＰＳ５、ＰＳ６）。
【００６１】
イオナイザ７が、送風機構３の羽根２３の近傍に設けられている態様では、送風機構３の羽根２３とイオナイザ７との間の空気流路の長さに比べて、送風機構３の羽根２３と帯電フィルタ９との間の空気流路の長さが長くなっている。
【００６２】
さらには、イオナイザ７が、送風機構３の近傍に設けられている態様では、帯電フィルタ９は、送風機構３で発生する空気の流れ方向で、イオナイザ７で発生したイオンやこのイオンによって帯電した微粒子１３がほぼ均一に空気中に分散される程度（イオンやこのイオンによって帯電した微粒子の濃度分布が均一化される程度）の距離だけイオナイザ７から離れている（図６参照）。
【００６３】
さらに説明すると、イオナイザ７は、図２に示す参照符号ＰＳ４で示すように、送風機構３のスクロール部５７の巻き始め側のエリアに設けられている（スクロール部巻き始め側エリア内の所定の位置に設けられている）。
【００６４】
スクロール部５７の巻き始め側のエリアは、スクロール部５７の巻き始め部（舌部）５９の位置から、スクロール部５７の中心軸Ｃ１を回転中心にして、スクロール部５７の空気吐出部６９に向かう方向に略９０°回転した位置までの間のエリアである。すなわち、図２に角度θ１で示すエリアである。
【００６５】
また、イオナイザ７は、図６に参照符号ＰＳ４で示すように、スクロール部５７の壁部であって送風機構３の空気吸い込み口４７側の壁部である上壁部２９の内面の部位に設けられている。また、図６に参照符号ＰＳ４で示す位置に設けることに代えてもしくは加えて、図６に参照符号ＰＳ５で示すように、スクロール部５７の壁部であって送風機構３の空気吸い込み口４７とは反対側の壁部である底壁部２７の内面の部位に設けられていてもよい。また、図６に参照符号ＰＳ４やＰＳ５で示す位置に設けることに代えてもしくは加えて、図６に参照符号ＰＳ６で示すように、スクロール部５７の壁部であって上壁部２９と底壁部２７との間の側壁部２５の内面の部位に設けられていてもよい。
【００６６】
すなわち、図６に参照符号ＰＳ４，ＰＳ５，ＰＳ６で示すうちの少なくともいずれかの位置にイオナイザ７が設けられていてもよい。
【００６７】
なお、イオナイザ７が、送風機構３の近傍に設けられている場合であっても、送風機構３の羽根２３で発生する空気の流れ（乱流）で、イオナイザ７で発生したイオンを撹拌することができるので、イオナイザ７が粗塵フィルタ５と送風機構３との間に設けられている場合と同様にして、空気中の微粒子１３の捕捉を帯電フィルタ９で的確に行うことができるとともに、イオナイザ７をコンパクト化することができる。
【００６８】
また、イオナイザ７が送風機構３のスクロール部５７の巻き始め側のエリアに設けられているので、空気がスクロール部５７の空気吐出部６９（空気吐出口４９でもよい。）まで流れる間に、イオナイザ７で発生したイオンや帯電した微粒子１３をスクロール部５７内で充分に拡散させることができる。
【００６９】
また、イオナイザ７が、スクロール部５７の上壁部２９の内面やスクロール部５７の底壁部２７の内面やスクロール部５７の側壁部２５の内面に設けられているので、羽根２３からスクロール部５７に出てきた空気がスクロール部５７の各壁部２５，２７，２９にぶつかって跳ね返る。この空気の跳ね返りによってイオナイザ７で発生したイオンをより的確に空気中に拡散させることができる。
【００７０】
なお、上述した空気清浄装置１は、送風機構と、前記送風機構の上流側に設けられ、空気中の粗塵を捕獲する粗塵フィルタと、前記送風機構の下流側に設けられ、空気中の微粒子を捕獲する帯電フィルタと、空気中の微粒子を帯電させるイオンを発生し、前記粗塵フィルタと前記帯電フィルタとの間であって、前記送風機構で発生する空気の乱流によって前記イオンおよびこのイオンで帯電した微粒子が前記帯電フィルタに至るまでにほぼ均一に空気中に拡散される位置に設けられたイオナイザとを有する空気清浄装置の例である。
【符号の説明】
【００７１】
１  空気清浄装置
３  送風機構
５  粗塵フィルタ
７，ＰＳ１，ＰＳ２，ＰＳ３，ＰＳ４，ＰＳ５，ＰＳ６  イオナイザ
９  帯電フィルタ
１１  粗塵
１３  微粒子
１５  空調用の熱交換器
１７  放電針
１９  対向電極
２３  羽根
２５  側壁部
２７  底壁部
２９  上壁部
４７  空気吸い込み口
５７  スクロール部
５９  スクロール部の巻き始め部
６９  スクロール部の空気吐出部
【図１】
2016205659.tif 000003
【図２】
2016205659.tif 000004
【図３】
2016205659.tif 000005
【図４】
2016205659.tif 000006
【図５】
2016205659.tif 000007
【図６】
2016205659.tif 000008
【図７】
2016205659.tif 000009
【図８】
2016205659.tif 000010